(57)【特許請求の範囲】
【請求項１】
選択的背景を有する時計面であって、
内部を通過する光を偏光する偏光素子層と、
上記偏光素子層の下方に配設され、かつ前記偏光を選択的に回転させるか、または回転させない液晶ディスプレイと、
上記液晶ディスプレイの下方に位置し、かつ上記偏光素子層に対して第１方向に配置された反射偏光素子層と、回転された光は該反射偏光素子層により反射されて当該時計面上に第１背景を生成し、回転されていない光は該反射偏光素子層を介して透過されることと、
上記反射偏光素子層の直下に配設された反射層と、上記反射偏光素子層を通過した光は該反射層により反射されて当該時計面上に第２背景を生成することと、
前記偏光素子層、前記液晶ディスプレイ、前記反射偏光素子層および反射層を貫通して延びる孔とを備え、前記孔は、その孔内にアナログ時計針を固定するためのポストを設けることによって、アナログ時計針が前記偏光素子層の上方に配設されることを可能にする選択的背景を有する時計面。
【請求項２】
選択的背景を有する時計面であって、
内部を通過する光を偏光する偏光素子層と、
上記偏光素子層の下方に配設された液晶ディスプレイと、該液晶ディスプレイは複数の個別セグメントに分割されており、各セグメントは選択的に偏光を回転させるか、または回転させないことと、
上記液晶ディスプレイの下方に位置し、かつ上記偏光素子層に対して第１方向に配置された反射偏光素子層と、回転された光は該反射偏光素子層により反射されて当該時計面上に第１背景を生成し、且つ回転されていない光は該反射偏光素子層を介して透過されることと、
上記反射偏光素子層の直下に配設された反射層と、上記反射偏光素子層を通過した光は該反射層により反射されて当該時計面上に第２背景を生成することと、
前記偏光素子層、前記液晶ディスプレイ、前記反射偏光素子層および反射層を貫通して延びる孔とを備え、前記孔は、その孔内にアナログ時計針を固定するためのポストを設けることによって、アナログ時計針が前記偏光素子層の上方に配設されることを可能にする
時計面。
【請求項３】
選択的背景を有する時計面であって、
内部を通過する光を偏光する偏光素子層と、
上記偏光素子層の下方に配設された第１液晶ディスプレイと、該第１液晶ディスプレイは複数の個別セグメントに分割されており、各セグメントは選択的に偏光を回転させるか、または回転させないことと、
上記第１液晶ディスプレイの直下に配設され、かつ選択的に偏光を回転させるか、または回転させない第２液晶ディスプレイと、該第２液晶ディスプレイは、第１液晶ディスプレイおよび第２液晶ディスプレイの屈折率に一致する屈折率を有する光学的密封剤によって第１液晶ディスプレイに接合されていることと、
上記第２液晶ディスプレイの下方に配置され、かつ上記偏光素子層に対して第１方向に配置された反射偏光素子層と、回転された光は該反射偏光素子層により反射されて当該時計面上に第１背景を生成し、且つ回転されていない光は該反射偏光素子層を介して透過されることと、
上記反射偏光素子層の下方に配設された反射層と、上記反射偏光素子層を通過した光は該反射層により反射されて当該時計面上に第２背景を生成することとからなる時計面。
【請求項４】
内部を通過する光を偏光する偏光素子層と、
上記偏光素子層の下方に配設され、かつ選択的に偏光を回転させるか、または回転させない第１液晶ディスプレイと、
上記第１液晶ディスプレイの直下に配設され、かつ第１液晶ディスプレイに接合されている第２液晶ディスプレイと、該第２液晶ディスプレイは複数の個別セグメントへと分割されており、各セグメントは選択的に偏光を回転させるか、または回転させないことと、
上記第２液晶ディスプレイの下方に配置され、かつ上記偏光素子層に対して第１方向に位置された反射偏光素子層と、回転された光は該反射偏光素子層により反射されて当該時計面上に第１背景を生成し、且つ回転されていない光は該反射偏光素子層を介して透過されることと、
上記反射偏光素子層の下方に配設された反射層と、上記反射偏光素子層を通過した光は該反射層により反射されて当該時計面上に第２背景を生成することとからなる選択的背景を有する時計面。
【請求項５】
選択的背景を有する時計面であって、
内部を通過する光を偏光する偏光素子層と、
上記偏光素子層の下方に配設された第１液晶ディスプレイと、該第１液晶ディスプレイは第１の複数の個別セグメントへと分割されており、各セグメントは偏光を選択的に回転させるか、または回転させないことと、
上記第１液晶ディスプレイの直下に配設され第２液晶ディスプレイと、該第２液晶ディスプレイは第２の複数の個別セグメントへと分割されており、各セグメントが偏光を選択的に回転させるか、または回転させないことと、
上記第２液晶ディスプレイの下方に配置され、かつ上記偏光素子層に対して第１方向に位置された反射偏光素子層と、回転された光は該反射偏光素子層により反射されて当該時計面上に第１背景を生成し、且つ回転されていない光は該反射偏光素子層を介して透過されることと、
上記反射偏光素子層の下方に配設された反射層と、上記反射偏光素子層を通過した光は該反射層により反射されて当該時計面上に第２背景を生成することとからなる時計面。
【請求項６】
前記複数の個別セグメントはデジタル時間ディスプレイからなる請求項２に記載の時計面。
【請求項７】
前記第１液晶ディスプレイにおける前記複数の個別セグメントはデジタル時間ディスプレイからなる請求項３に記載の時計面。
【請求項８】
前記第２液晶ディスプレイにおける前記複数の個別セグメントはデジタル時間ディスプレイからなる請求項４に記載の時計面。
【請求項９】
前記第１液晶ディスプレイにおける前記第１の複数の個別セグメン
トはデジタル時間ディスプレイからなる請求項５に記載の時計面。
【請求項１０】
前記第２液晶ディスプレイにおける前記第２の複数の個別セグメントはデジタル時間ディスプレイからなる請求項５に記載の時計面。
【請求項１１】
前記第１および第２液晶ディスプレイにおける前記第１および第２の複数の個別セグメントは各々デジタル時間ディスプレイからなる請求項５に記載の時計面。
【請求項１２】
前記第１および第２液晶ディスプレイの一方におけるデジタル時間ディスプレイは、前記第１および第２液晶ディスプレイの他方におけるデジタル時間ディスプレイの個別セグメント同士の間の間隙を補足する請求項１１に記載の時計面。
【請求項１３】
前記第１液晶ディスプレイにおける前記第１の複数の個別セグメントはデジタル文字ディスプレイからなる請求項５に記載の時計面。
【請求項１４】
前記第１および第２液晶ディスプレイにおける前記第１および第２の複数の個別セグメントは、各々デジタル文字ディスプレイからなる請求項１３に記載の時計面。
【請求項１５】
前記第１および第２液晶ディスプレイの一方におけるデジタル文字ディスプレイは、前記第１および第２液晶ディスプレイの他方におけるデジタル文字ディスプレイの個別セグメント同士の間の間隙を補足する請求項１４に記載の時計面。
【請求項１６】
前記偏光素子層は無彩色の偏光素子（ｎｅｕｔｒａｌ  ｐｏｌａｒｉｚｅｒ）からなる請求項１乃至５のいずれか１項に記載の時計面。
【請求項１７】
前記偏光素子層は着色偏光素子からなる請求項１乃至５のいずれか１項に記載の時計面。
【請求項１８】
前記液晶ディスプレイはねじれネマティック液晶ディスプレイである、請求項１乃至５のいずれか１項に記載の時計面。
【請求項１９】
前記液晶ディスプレイは電子制御式複屈折液晶ディスプレイである請求項１乃至５のいずれか１項に記載の時計面。
【請求項２０】
前記反射偏光素子層は前記偏光素子層に対して第２方向に配置され、
回転されていない光は上記反射偏光素子層により反射されて当該時計面上に前記第１背景を生成し、且つ回転された光は上記反射偏光素子層を透過せしめられる請求項１乃至５のいずれか１項に記載の時計面。
【請求項２１】
前記反射層が模様付けされた表面である請求項１乃至５のいずれか１項に記載の時計面。
【請求項２２】
前記反射層が着色表面である請求項１乃至５および２１のうちのいずれか１項に記載の時計面。
【請求項２３】
前記反射層が鏡面である請求項１乃至５のいずれか１項に記載の時計面。
【請求項２４】
前記模様付けされた表面がアナログ時計面である請求項２１に記載の時計面。
【請求項２５】
前記第１および第２背景は着色される請求項１乃至５のいずれか１項に記載の時計面。
【請求項２６】
前記第１背景が第１色であり、且つ前記第２背景は第２色である請求項１乃至５のいずれか１項に記載の時計面。
【請求項２７】
前記第１背景が銀色の鏡の外観を有する請求項１乃至５のいずれか１項のいずれか１項に記載の時計面。
【請求項２８】
前記液晶ディスプレイの直上または直下に配設された色変化層を更に備えてなる請求項１または２に記載の時計面。
【請求項２９】
第１液晶ディスプレイの直上または第２液晶ディスプレイの直下に配設された色変化層を更に備えてなる請求項３または４に記載の時計面。
【請求項３０】
前記第１液晶ディスプレイの直上または前記第２液晶ディスプレイの直下に配設された色変化層を更に備えてなる請求項５に記載の時計面。
【請求項３１】
前記色変化層は着色偏光素子からなる請求項２８または３０に記載の時計面。
【請求項３２】
前記色変化層は位相差フィルムからなる請求項２８または３０に記載の時計面。
【請求項３３】
当該時計面はアナログまたはデジタル時間表示を容易にする請求項２または５に記載の時計面。
【請求項３４】
当該時計面は、該時計面を軸線方向に貫通して延びるアナログ式時計針の運動を提供する孔を有する請求項３乃至５のいずれか１項に記載の時計面。
【請求項３５】
当該時計面は時計モジュール内に配設される請求項１乃至５のいずれか１項に記載の時計面。
【請求項３６】
前記モジュールは丸形であり、且つ前記時計面は八角形である請求項３５に記載の時計面。
【請求項３７】
電圧切換手段を更に備え、該電圧切換手段は前記液晶ディスプレイに印加される電圧を制御する請求項１に記載の時計面。
【請求項３８】
前記電圧切換手段は電子的に起動される請求項３７に記載の時計面。
【請求項３９】
前記電圧切換手段は手動で起動される請求項３７に記載の時計面。
【請求項４０】
前記電圧切換手段は、第１電圧および第２電圧の間で交番する請求項３７に記載の時計面。
【請求項４１】
前記第１電圧は前記第１背景を可視にし、且つ前記第２電圧は前記第２背景を可視にする請求項４０に記載の時計面。
【請求項４２】
前記第２電圧を調節する手段を更に備えてなる請求項４１に記載の時計面。
【請求項４３】
前記調節手段は電子的に起動される請求項４２に記載の時計面。
【請求項４４】
前記調節手段は手動で起動される請求項４２に記載の時計面。
【請求項４５】
電圧切換手段を更に備え、該電圧切換手段は複数のセグメントパターンの少なくとも一個に対して選択的に印加される電圧を制御し、各セグメントパターンは前記複数の個別セグメントの少なくとも一個を含む請求項２に記載の時計面。
【請求項４６】
前記電圧切換手段は、電圧を第１および第２電圧の間で交番する請求項４５に記載の時計面。
【請求項４７】
前記第１電圧により、前記複数のセグメントパターンの少なくとも一個における各個別セグメントは偏光を回転させ、且つ、前記第２電圧により、上記複数のセグメントパターンの少なくとも一個における各個別セグメントは偏光を回転させない請求項４６に記載の時計面。
【請求項４８】
前記電圧切換手段は電子的に起動される請求項４５に記載の時計面。
【請求項４９】
前記電圧切換手段は手動で起動される請求項４５に記載の時計面。
【請求項５０】
前記第２電圧を調節する手段を更に備えてなる請求項４６に記載の時計面。
【請求項５１】
前記調節手段は電子的に起動される請求項５０に記載の時計面。
【請求項５２】
前記調節手段は手動で起動される請求項５０に記載の時計面。
【請求項５３】
パターン選択手段を更に備え、該パターン選択手段は前記複数のパターンの少なくとも一個の選択を制御する請求項４５に記載の時計面。
【請求項５４】
前記パターン選択手段は電子的に起動される請求項５３に記載の時計面。
【請求項５５】
前記パターン選択手段は手動で起動される請求項５３に記載の時計面。
【請求項５６】
電圧切換手段を更に備え、該電圧切換手段は、各セグメントパタ
ーンが前記第１液晶ディスプレイにおける複数の個別セグメントの少なくとも一個を含む複数のセグメントパターンの少なくとも一個に対して選択的に印加される主要電圧と、前記第２液晶ディスプレイに印加される副次電圧とを制御する請求項３に記載の時計面。
【請求項５７】
前記電圧切換手段は電子的に起動される請求項５６に記載の時計面。
【請求項５８】
前記電圧切換手段は手動で起動される請求項５６に記載の時計面。
【請求項５９】
前記電圧切換手段は前記主要電圧を第１および第２電圧の間で交番し、且つ前記副次電圧を第３および第４電圧の間で交番する請求項５６に記載の時計面。
【請求項６０】
前記第１電圧により、前記複数のセグメントパターンの少なくとも一個における各個別セグメントは偏光を回転させ、且つ、前記第２電圧により、上記複数のセグメントパターンの少なくとも一個における各個別セグメントは偏光を回転させず、
前記第３電圧により前記第２液晶ディスプレイは偏光を回転させ、且つ前記第４電圧により上記第２液晶ディスプレイは偏光を回転させない請求項５９に記載の時計面。
【請求項６１】
前記第３電圧は前記第１背景を可視にし、且つ前記第４電圧は前記第２背景を可視にする請求項５９に記載の時計面。
【請求項６２】
前記主要電圧および副次電圧を調節する手段を更に備えてなる請求項５９に記載の時計面。
【請求項６３】
前記調節手段は電子的に起動される請求項６２に記載の時計面。
【請求項６４】
前記調節手段は手動で起動される請求項６２に記載の時計面。
【請求項６５】
パターン選択手段を更に備え、該パターン選択手段は前記複数のセグメントパターンの少なくとも一個を制御して選択する請求項５６に記載の時計面。
【請求項６６】
前記パターン選択手段は電子的に起動される請求項６５に記載の時計面。
【請求項６７】
前記パターン選択手段は手動で起動される請求項６５に記載の時計面。
【請求項６８】
電圧切換手段を更に備え、該電圧切換手段は、各セグメントパターンが前記第２液晶ディスプレイにおける前記複数の個別セグメントの少なくとも一個を含む複数のセグメントパターンの少なくとも一個に対して選択的に印加される主要電圧と、前記第１液晶ディスプレイに印加される副次電圧とを制御する請求項４に記載の時計面。
【請求項６９】
前記電圧切換手段は電子的に起動される請求項６８に記載の時計面。
【請求項７０】
前記電圧切換手段は手動で起動される請求項６８に記載の時計面。
【請求項７１】
前記電圧切換手段は、前記主要電圧を第１および第２電圧の間で交番し、且つ前記副次電圧を第３および第４電圧の間で交番する請求項６８に記載の時計面。
【請求項７２】
前記第１電圧により、前記複数のセグメントパターンの少なくとも一個における各個別セグメントは偏光を回転させ、且つ、前記第２電圧により、上記複数のセグメントパターンの少なくとも一個における各個別セグメントは偏光を回転させず、且つ、
前記第３電圧により前記第１液晶ディスプレイは偏光を回転させ、且つ前記第４電圧により上記第１液晶ディスプレイは偏光を回転させない請求項７１に記載の時計面。
【請求項７３】
前記第３電圧は前記第１背景を可視にし、且つ前記第４電圧は前記第２背景を可視にする請求項７１に記載の時計面。
【請求項７４】
前記主要電圧および副次電圧を調節する手段を更に備えてなる請求項７１に記載の時計面。
【請求項７５】
前記調節手段は電子的に起動される請求項７４に記載の時計面。
【請求項７６】
前記調節手段は手動で起動される請求項７４に記載の時計面。
【請求項７７】
前記複数のセグメントパターンの少なくとも一個を制御して選択するパターン選択手段を更に備えてなる請求項６８に記載の時計面。
【請求項７８】
前記パターン選択手段は電子的に起動される請求項７７に記載の時計面。
【請求項７９】
前記パターン選択手段は手動で起動される請求項７７に記載の時計面。
【請求項８０】
電圧切換手段を更に備え、該電圧切換手段は、各セグメントパターンが前記第１液晶ディスプレイにおける前記複数の個別セグメントの少なくとも一個を含む第１の複数のセグメントパターンの少なくとも一個に対して選択的に印加される主要電圧と、各セグメントパターンが前記第２液晶ディスプレイにおける前記複数の個別セグメントの少なくとも一個を含む第２の複数のセグメントパターンの少なくとも一個に対して選択的に印加される副次電圧とを制御する請求項５に記載の時計面。
【請求項８１】
前記電圧切換手段は電子的に起動される請求項８０に記載の時計面。
【請求項８２】
前記電圧切換手段は手動で起動される請求項８０に記載の時計面。
【請求項８３】
前記電圧切換手段は前記主要電圧を第１および第２電圧の間で交番し、且つ前記副次電圧を第３および第４電圧の間で交番する請求項８０に記載の時計面。
【請求項８４】
前記第１電圧により、前記第１の複数のセグメントパターンの少なくとも一個における各個別セグメントは偏光を回転させ、且つ、前記第２電圧により、上記第１の複数のセグメントパターンの少なくとも一個における各個別セグメントは偏光を回転させず、且つ、
前記第３電圧により、前記第２の複数のセグメントパターンの少なくとも一個における各個別セグメントは偏光を回転させ、且つ、前記第４電圧により、上記第２の複数のセグメントパターンの少なくとも一個における各個別セグメントは偏光を回転させない請求項８３に記載の時計面。
【請求項８５】
前記第３電圧は前記第１背景を可視にし、且つ前記第４電圧は前記第２背景を可視にする請求項８３に記載の時計面。
【請求項８６】
前記主要電圧および副次電圧を調節する手段を更に備えてなる請求項８３に記載の時計面。
【請求項８７】
前記調節手段は電子的に起動される請求項８６に記載の時計面。
【請求項８８】
前記調節手段は手動で起動される請求項８６に記載の時計面。
【請求項８９】
前記各複数のセグメントパターンの少なくとも一個を制御して選択するパターン選択手段を更に備えてなる請求項８０に記載の時計面。
【請求項９０】
前記パターン選択手段は電子的に起動される請求項８９に記載の時計面。
【請求項９１】
前記パターン選択手段は手動で起動される請求項８９に記載の時計面。
【発明の詳細な説明】
【０００１】
【発明の属する技術分野】
本発明は、時計（ｗａｔｃｈ）とも称される改良された計時器モジュール（ｔｉｍｅｐｉｅｃｅ  ｍｏｄｕｌｅ）、および、ディスプレイを有するその他のデバイスに関する。より詳細には本発明は、改良された人間工学的機能および設計的機能、すなわち、電子制御された液晶ディスプレイ要素の色変更を可能にする動的変化液晶ディスプレイと、厚みを大幅に減少させる計時器構成要素の新規な配置構成と、改良された数字ディスプレイとを特徴とする電子計時装置に関する。
【０００２】
【従来の技術】
時間表示のために液晶ディスプレイ要素を用いるという多様な電子的計時器は既に開発されており、大きな商的成功を収めている。これらの電子的計時器の殆どは、数字の形態で、すなわち、しばしばデジタル式時間ディスプレイと称される形態で時間を表す。また最近は関連技術により、アナログすなわち従来様式の形態で時間を表す電子式時計（ｅｌｅｃｔｒｏｎｉｃ  ｗａｔｃｈ）用の液晶ディスプレイが形成されている。
【０００３】
計時器で使用される既存の多くの液晶ディスプレイは、概略的に灰色上に黒という外観を有する従来のねじれネマティック（ＴＮ）ディスプレイを用いる。更に、通常、斯かるデバイス内には外側の偏光フィルムおよび反射用の偏光フィルムの両者が組み込まれているので、ディスプレイの輝度が低下し、ディスプレイが明確に視認され得る視野角が制限され易い。また液晶ディスプレイの色の外観（ｃｏｌｏｒ  ａｐｐｅａｒａｎｃｅ）は、着色フィルタ、着色背景照明などを用いて導入される。しかし、斯かる計時デバイスとともに色外観が組み込まれたとき、多くの場合には色が事前選択されて静的である。
【０００４】
１９９７年６月３日および１９９９年１１月３０日に両件ともにＢｒｅｗｅｒ等に対して発行された米国特許第５，６３６，１８５号および米国特許第５，９９５，４５６号には、色変化ＬＣＤを用いるという概念が教示されている。其処では両件ともに、着色背景上に種々の着色画像を提供し、または美観に優れたファッショナブルな色変更機能を提供し得るＬＣＤディスプレイを時計または他のアパレル用品に組み込むことを開示している。しかしこれらの特許は、改良された色外観または拡張された色変更機能を達成する新規なＬＣＤ方法および解決策を用いる上での技術的詳細を教示していない。
【０００５】
１９９７年１０月２７日にＯｕｄｅｒｋｉｒｋ等に発行された米国特許第５，８２８，４８８号は、反射偏光素子ディスプレイを開示している。その特定の材料は反射偏光素子材料として公知であると共に、従来のＬＣＤ構成における吸収用の後側偏光素子の代わりに用いられる。しかし、時計または他のアパレルに対する色変化背景を生成すべく上記材料を用いるとの教示は提供されていない。
【０００６】
上記’４８８号特許の反射偏光素子材料を用いるディスプレイデバイスは、１９９８年２月２日に発行されたＥＰ０８２５４７７Ａ２号に開示されている。図１は斯かる先行技術の方法を開示するものであり、ＬＣＤ構成において反射偏光素子を用い、その反射偏光素子材料の本来的性質により更に明るい色の生成することが教示される。此処で、偏光素子１３０はねじれネマティック（ＴＮ）液晶１４０の上方に配置されると共に、光散乱層１５０、偏光分離器１６０、着色層１７０および反射プレート１８０はＴＮ液晶１４０の下方に配置される。偏光分離器１６０は、上側から入射する紙面に平行な方向の直線偏光成分は透過させると共に、紙面と直交する方向の直線偏光成分は反射し、該偏光分離器１６０は更に下側から入射した光に応じて、紙面に平行な直線偏光を上方に発し得る。電圧不印加状態１２０において液晶１４０に電圧が印加されていない場合、入射光１２１は偏光分離器１６０により反射されて白色発光１２２となる。電圧印加状態１１０において入射光１１１は偏光分離器１６０を通過して透過し、着色層１７０により着色されて着色発光１１２となる。図１に示された配置構成は反射偏光素子を用いるが、時計または他のアパレルに対する着色背景に使用するとの教示はなされていない。
【０００７】
１９９９年１２月２８日にＯｋｕｍｕｒａに対して発行された米国特許第６，００８，８７１号においては、偏光素子として液晶パネルの反対側上に配設された反射偏光素子を用いた半透過型（ｔｒａｎｓｆｌｅｃｔｉｖｅ）の液晶ディスプレイデバイスが開示されている。上記’８７１号特許は、更に明るいディスプレイを有するデバイスを提供する。しかし、時計または他のアパレルに対する着色背景の選択を許容すべく上記反射偏光素子を使用するとの教示は無い。
【０００８】
【発明が解決しようとする課題】
技術的に進歩した電子デバイスと人間との相互作用を強化するには、人間工学的な改善が重要である。特に電子的計時器などの通常の電子デバイスは、更に複雑となり機能も多岐に亙っている。故に計時器の設計には、個別の情報を正確かつ迅速に伝達する能力が重要である。そして消費者市場はまた、斯かる複雑さおよび機能の増大により、快適さ、使い易さ、またはファッション要素が損なわれないことも要求する。故に時計は、機能すべく使用されるときに快適に装着されてファッショナブルであることも等しく重要である。更にファッション時計の市場においては、購買者が種々の服装に対して種々の時計を調和させ得るように低価格の時計を提供することが成功の秘訣である。この市場において、色の変化するセグメントを表示し得る快適で機能的な時計、または、事前プログラムされた電子部品に基づくか、または購買者の意のままに変化し得る単なる時計用文字盤（ｗａｔｃｈ  ｄｉａｌ）に対する販売の可能性は、非常に高いと思われる。
【０００９】
【課題を解決するための手段】
上記問題点を解決するために、請求項１に記載の発明は、選択的背景を有する時計面であって、内部を通過する光を偏光する偏光素子層と、上記偏光素子層の下方に配設され、かつ前記偏光を選択的に回転させるか、または回転させない液晶ディスプレイと、上記液晶ディスプレイの下方に位置し、かつ上記偏光素子層に対して第１方向に配置された反射偏光素子層と、回転された光は該反射偏光素子層により反射されて当該時計面上に第１背景を生成し、回転されていない光は該反射偏光素子層を介して透過されることと、上記反射偏光素子層の直下に配設された反射層と、上記反射偏光素子層を通過した光は該反射層により反射されて当該時計面上に第２背景を生成することと、前記偏光素子層、前記液晶ディスプレイ、前記反射偏光素子層および反射層を貫通して延びる孔とを備え、前記孔は、その孔内にアナログ時計針を固定するためのポストを設けることによって、アナログ時計針が前記偏光素子層の上方に配設されることを可能にする選択的背景を有することを要旨とする。
【００１０】
請求項２に記載の発明は、選択的背景を有する時計面であって、内部を通過する光を偏光する偏光素子層と、上記偏光素子層の下方に配設された液晶ディスプレイと、該液晶ディスプレイは複数の個別セグメントに分割されており、各セグメントは選択的に偏光を回転させるか、または回転させないことと、上記液晶ディスプレイの下方に位置し、かつ上記偏光素子層に対して第１方向に配置された反射偏光素子層と、回転された光は該反射偏光素子層により反射されて当該時計面上に第１背景を生成し、且つ回転されていない光は該反射偏光素子層を介して透過されることと、上記反射偏光素子層の直下に配設された反射層と、上記反射偏光素子層を通過した光は該反射層により反射されて当該時計面上に第２背景を生成することと、前記偏光素子層、前記液晶ディスプレイ、前記反射偏光素子層および反射層を貫通して延びる孔とを備え、前記孔は、その孔内にアナログ時計針を固定するためのポストを設けることによって、アナログ時計針が前記偏光素子層の上方に配設されることを可能にすることを要旨とする。
【００１１】
請求項３に記載の発明は、選択的背景を有する時計面であって、内部を通過する光を偏光する偏光素子層と、上記偏光素子層の下方に配設された第１液晶ディスプレイと、該第１液晶ディスプレイは複数の個別セグメントに分割されており、各セグメントは選択的に偏光を回転させるか、または回転させないことと、上記第１液晶ディスプレイの直下に配設され、かつ選択的に偏光を回転させるか、または回転させない第２液晶ディスプレイと、該第２液晶ディスプレイは、第１液晶ディスプレイおよび第２液晶ディスプレイの屈折率に一致する屈折率を有する光学的密封剤によって第１液晶ディスプレイに接合されていることと、上記第２液晶ディスプレイの下方に配置され、かつ上記偏光素子層に対して第１方向に配置された反射偏光素子層と、回転された光は該反射偏光素子層により反射されて当該時計面上に第１背景を生成し、且つ回転されていない光は該反射偏光素子層を介して透過されることと、上記反射偏光素子層の下方に配設された反射層と、上記反射偏光素子層を通過した光は該反射層により反射されて当該時計面上に第２背景を生成することとからなることを要旨とする。
【００１２】
請求項４に記載の発明は、選択的背景を有する時計面であって、内部を通過する光を偏光する偏光素子層と、上記偏光素子層の下方に配設され、かつ選択的に偏光を回転させるか、または回転させない第１液晶ディスプレイと、上記第１液晶ディスプレイの直下に配設され、かつ第１液晶ディスプレイに接合されている第２液晶ディスプレイと、該第２液晶ディスプレイは複数の個別セグメントへと分割されており、各セグメントは選択的に偏光を回転させるか、または回転させないことと、上記第２液晶ディスプレイの下方に配置され、かつ上記偏光素子層に対して第１方向に位置された反射偏光素子層と、回転された光は該反射偏光素子層により反射されて当該時計面上に第１背景を生成し、且つ回転されていない光は該反射偏光素子層を介して透過されることと、上記反射偏光素子層の下方に配設された反射層と、上記反射偏光素子層を通過した光は該反射層により反射されて当該時計面上に第２背景を生成することとからなることを要旨とする。
【００１３】
請求項５に記載の発明は、選択的背景を有する時計面であって、内部を通過する光を偏光する偏光素子層と、上記偏光素子層の下方に配設された第１液晶ディスプレイと、該第１液晶ディスプレイは第１の複数の個別セグメントへと分割されており、各セグメントは偏光を選択的に回転させるか、または回転させないことと、上記第１液晶ディスプレイの直下に配設され第２液晶ディスプレイと、該第２液晶ディスプレイは第２の複数の個別セグメントへと分割されており、各セグメントが偏光を選択的に回転させるか、または回転させないことと、上記第２液晶ディスプレイの下方に配置され、かつ上記偏光素子層に対して第１方向に位置された反射偏光素子層と、回転された光は該反射偏光素子層により反射されて当該時計面上に第１背景を生成し、且つ回転されていない光は該反射偏光素子層を介して透過されることと、上記反射偏光素子層の下方に配設された反射層と、上記反射偏光素子層を通過した光は該反射層により反射されて当該時計面上に第２背景を生成することとからなることを要旨とする。
【００１４】
請求項６に記載の発明は、請求項２に記載の時計面において、前記複数の個別セグメントはデジタル時間ディスプレイからなることを要旨とする。
請求項７に記載の発明は、請求項３に記載の時計面において、前記第１液晶ディスプレイにおける前記複数の個別セグメントはデジタル時間ディスプレイからなることを要旨とする。
【００１５】
請求項８に記載の発明は、請求項４に記載の時計面において、前記第２液晶ディスプレイにおける前記複数の個別セグメントはデジタル時間ディスプレイからなることを要旨とする。
【００１６】
請求項９に記載の発明は、請求項５に記載の時計面において、前記第１液晶ディスプレイにおける前記第１の複数の個別セグメントはデジタル時間ディスプレイからなることを要旨とする。
【００１７】
請求項１０に記載の発明は、請求項５に記載の時計面において、前記第２液晶ディスプレイにおける前記第２の複数の個別セグメントはデジタル時間ディスプレイからなることを要旨とする。
【００１８】
請求項１１に記載の発明は、請求項５に記載の時計面において、前記第１および第２液晶ディスプレイにおける前記第１および第２の複数の個別セグメントは各々デジタル時間ディスプレイからなることを要旨とする。
【００１９】
請求項１２に記載の発明は、請求項１１に記載の時計面において、前記第１および第２液晶ディスプレイの一方におけるデジタル時間ディスプレイは、前記第１および第２液晶ディスプレイの他方におけるデジタル時間ディスプレイの個別セグメント同士の間の間隙を補足することを要旨とする。
【００２０】
請求項１３に記載の発明は、請求項５に記載の時計面において、前記第１液晶ディスプレイにおける前記第１の複数の個別セグメントはデジタル文字ディスプレイからなることを要旨とする。
【００２１】
請求項１４に記載の発明は、請求項１３に記載の時計面において、前記第１および第２液晶ディスプレイにおける前記第１および第２の複数の個別セグメントは、各々デジタル文字ディスプレイからなることを要旨とする。
【００２２】
請求項１５に記載の発明は、請求項１４に記載の時計面において、前記第１および第２液晶ディスプレイの一方におけるデジタル文字ディスプレイは、前記第１および第２液晶ディスプレイの他方におけるデジタル文字ディスプレイの個別セグメント同士の間の間隙を補足することを要旨とする。
【００２３】
請求項１６に記載の発明は、請求項１乃至５のいずれか１項に記載の時計面において、前記偏光素子層は無彩色の偏光素子（ｎｅｕｔｒａｌｐｏｌａｒｉｚｅｒ）からなることを要旨とする。
【００２４】
請求項１７に記載の発明は、請求項１乃至５のいずれか１項に記載の時計面において、前記偏光素子層は着色偏光素子からなることを要旨とする。
請求項１８に記載の発明は、請求項１乃至５のいずれか１項に記載の時計面において、前記液晶ディスプレイはねじれネマティック液晶ディスプレイである、ことを要旨とする。
【００２５】
請求項１９に記載の発明は、請求項１乃至５のいずれか１項に記載の時計面において、前記液晶ディスプレイは電子制御式複屈折液晶ディスプレイであることを要旨とする。
【００２６】
請求項２０に記載の発明は、請求項１乃至５のいずれか１項に記載の時計面において、前記反射偏光素子層は前記偏光素子層に対して第２方向に配置され、回転されていない光は上記反射偏光素子層により反射されて当該時計面上に前記第１背景を生成し、且つ回転された光は上記反射偏光素子層を透過せしめられることを要旨とする。
【００２７】
請求項２１に記載の発明は、請求項１乃至５のいずれか１項に記載の時計面において、前記反射層が模様付けされた表面であることを要旨とする。
請求項２２に記載の発明は、請求項１乃至５および２１のうちのいずれか１項に記載の時計面において、前記反射層が着色表面であることを要旨とする。
【００２８】
請求項２３に記載の発明は、請求項１乃至５のいずれか１項に記載の時計面において、前記反射層が鏡面であることを要旨とする。
請求項２４に記載の発明は、請求項２１に記載の時計面において、前記模様付けされた表面がアナログ時計面であることを要旨とする。
【００２９】
請求項２５に記載の発明は、請求項１乃至５のいずれか１項に記載の時計面において、前記第１および第２背景は着色されることを要旨とする。
請求項２６に記載の発明は、請求項１乃至５のいずれか１項に記載の時計面において、前記第１背景が第１色であり、且つ前記第２背景は第２色であることを要旨とする。
【００３０】
請求項２７に記載の発明は、請求項１乃至５のいずれか１項のいずれか１項に記載の時計面において、前記第１背景が銀色の鏡の外観を有することを要旨とする。
【００３１】
請求項２８に記載の発明は、請求項１または２に記載の時計面において、前記液晶ディスプレイの直上または直下に配設された色変化層を更に備えてなることを要旨とする。
【００３２】
請求項２９に記載の発明は、請求項３または４に記載の時計面において、第１液晶ディスプレイの直上または第２液晶ディスプレイの直下に配設された色変化層を更に備えてなることを要旨とする。
【００３３】
請求項３０に記載の発明は、請求項５に記載の時計面において、前記第１液晶ディスプレイの直上または前記第２液晶ディスプレイの直下に配設された色変化層を更に備えてなることを要旨とする。
【００３４】
請求項３１に記載の発明は、請求項２８または３０に記載の時計面において、前記色変化層は着色偏光素子からなることを要旨とする。
請求項３２に記載の発明は、請求項２８または３０に記載の時計面において、前記色変化層は位相差フィルムからなることを要旨とする。
【００３５】
請求項３３に記載の発明は、請求項２または５に記載の時計面において、当該時計面はアナログまたはデジタル時間表示を容易にすることを要旨とする。
請求項３４に記載の発明は、請求項３乃至５のいずれか１項に記載の時計面において、当該時計面は、該時計面を軸線方向に貫通して延びるアナログ式時計針の運動を提供する孔を有することを要旨とする。
【００３６】
請求項３５に記載の発明は、請求項１乃至５のいずれか１項に記載の時計面において、当該時計面は時計モジュール内に配設されることを要旨とする。
請求項３６に記載の発明は、請求項３５に記載の時計面において、前記モジュールは丸形であり、且つ前記時計面は八角形であることを要旨とする。
【００３７】
請求項３７に記載の発明は、請求項１に記載の時計面において、電圧切換手段を更に備え、該電圧切換手段は前記液晶ディスプレイに印加される電圧を制御することを要旨とする。
【００３８】
請求項３８に記載の発明は、請求項３７に記載の時計面において、前記電圧切換手段は電子的に起動されることを要旨とする。
請求項３９に記載の発明は、請求項３７に記載の時計面において、前記電圧切換手段は手動で起動されることを要旨とする。
【００３９】
請求項４０に記載の発明は、請求項３７に記載の時計面において、前記電圧切換手段は、第１電圧および第２電圧の間で交番することを要旨とする。
請求項４１に記載の発明は、請求項４０に記載の時計面において、前記第１電圧は前記第１背景を可視にし、且つ前記第２電圧は前記第２背景を可視にすることを要旨とする。
【００４０】
請求項４２に記載の発明は、請求項４１に記載の時計面において、前記第２電圧を調節する手段を更に備えてなることを要旨とする。
請求項４３に記載の発明は、請求項４２に記載の時計面において、前記調節手段は電子的に起動されることを要旨とする。
【００４１】
請求項４４に記載の発明は、請求項４２に記載の時計面において、前記調節手段は手動で起動されることを要旨とする。
請求項４５に記載の発明は、請求項２に記載の時計面において、電圧切換手段を更に備え、該電圧切換手段は複数のセグメントパターンの少なくとも一個に対して選択的に印加される電圧を制御し、各セグメントパターンは前記複数の個別セグメントの少なくとも一個を含むことを要旨とする。
【００４２】
請求項４６に記載の発明は、請求項４５に記載の時計面において、前記電圧切換手段は、電圧を第１および第２電圧の間で交番することを要旨とする。
請求項４７に記載の発明は、請求項４６に記載の時計面において、前記第１電圧により、前記複数のセグメントパターンの少なくとも一個における各個別セグメントは偏光を回転させ、且つ、前記第２電圧により、上記複数のセグメントパターンの少なくとも一個における各個別セグメントは偏光を回転させないことを要旨とする。
【００４３】
請求項４８に記載の発明は、請求項４５に記載の時計面において、前記電圧切換手段は電子的に起動されることを要旨とする。
請求項４９に記載の発明は、請求項４５に記載の時計面において、前記電圧切換手段は手動で起動されることを要旨とする。
【００４４】
請求項５０に記載の発明は、請求項４６に記載の時計面において、前記第２電圧を調節する手段を更に備えてなることを要旨とする。
請求項５１に記載の発明は、請求項５０に記載の時計面において、前記調節手段は電子的に起動されることを要旨とする。
【００４５】
請求項５２に記載の発明は、請求項５０に記載の時計面において、前記調節手段は手動で起動されることを要旨とする。
請求項５３に記載の発明は、請求項４５に記載の時計面において、パターン選択手段を更に備え、該パターン選択手段は前記複数のパターンの少なくとも一個の選択を制御することを要旨とする。
【００４６】
請求項５４に記載の発明は、請求項５３に記載の時計面において、前記パターン選択手段は電子的に起動されることを要旨とする。
請求項５５に記載の発明は、請求項５３に記載の時計面において、前記パターン選択手段は手動で起動されることを要旨とする。
【００４７】
請求項５６に記載の発明は、請求項３に記載の時計面において、電圧切換手段を更に備え、該電圧切換手段は、各セグメントパターンが前記第１液晶ディスプレイにおける複数の個別セグメントの少なくとも一個を含む複数のセグメントパターンの少なくとも一個に対して選択的に印加される主要電圧と、前記第２液晶ディスプレイに印加される副次電圧とを制御することを要旨とする。
【００４８】
請求項５７に記載の発明は、請求項５６に記載の時計面において、前記電圧切換手段は電子的に起動されることを要旨とする。
請求項５８に記載の発明は、請求項５６に記載の時計面において、前記電圧切換手段は手動で起動されることを要旨とする。
【００４９】
請求項５９に記載の発明は、請求項５６に記載の時計面において、前記電圧切換手段は前記主要電圧を第１および第２電圧の間で交番し、且つ前記副次電圧を第３および第４電圧の間で交番することを要旨とする。
【００５０】
請求項６０に記載の発明は、請求項５９に記載の時計面において、前記第１電圧により、前記複数のセグメントパターンの少なくとも一個における各個別セグメントは偏光を回転させ、且つ、前記第２電圧により、上記複数のセグメントパターンの少なくとも一個における各個別セグメントは偏光を回転させず、前記第３電圧により前記第２液晶ディスプレイは偏光を回転させ、且つ前記第４電圧により上記第２液晶ディスプレイは偏光を回転させないことを要旨とする。
【００５１】
請求項６１に記載の発明は、請求項５９に記載の時計面において、前記第３電圧は前記第１背景を可視にし、且つ前記第４電圧は前記第２背景を可視にすることを要旨とする。
【００５２】
請求項６２に記載の発明は、請求項５９に記載の時計面において、前記主要電圧および副次電圧を調節する手段を更に備えてなることを要旨とする。
請求項６３に記載の発明は、請求項６２に記載の時計面において、前記調節手段は電子的に起動されることを要旨とする。
【００５３】
請求項６４に記載の発明は、請求項６２に記載の時計面において、前記調節手段は手動で起動されることを要旨とする。
請求項６５に記載の発明は、請求項５６に記載の時計面において、パターン選択手段を更に備え、該パターン選択手段は前記複数のセグメントパターンの少なくとも一個を制御して選択することを要旨とする。
【００５４】
請求項６６に記載の発明は、請求項６５に記載の時計面において、前記パターン選択手段は電子的に起動されることを要旨とする。
請求項６７に記載の発明は、請求項６５に記載の時計面において、前記パターン選択手段は手動で起動されることを要旨とする。
【００５５】
請求項６８に記載の発明は、請求項４に記載の時計面において、電圧切換手段を更に備え、該電圧切換手段は、各セグメントパターンが前記第２液晶ディスプレイにおける前記複数の個別セグメントの少なくとも一個を含む複数のセグメントパターンの少なくとも一個に対して選択的に印加される主要電圧と、前記第１液晶ディスプレイに印加される副次電圧とを制御することを要旨とする。
【００５６】
請求項６９に記載の発明は、請求項６８に記載の時計面において、前記電圧切換手段は電子的に起動されることを要旨とする。
請求項７０に記載の発明は、請求項６８に記載の時計面において、前記電圧切換手段は手動で起動されることを要旨とする。
【００５７】
請求項７１に記載の発明は、請求項６８に記載の時計面において、前記電圧切換手段は、前記主要電圧を第１および第２電圧の間で交番し、且つ前記副次電圧を第３および第４電圧の間で交番することを要旨とする。
【００５８】
請求項７２に記載の発明は、請求項７１に記載の時計面において、前記第１電圧により、前記複数のセグメントパターンの少なくとも一個における各個別セグメントは偏光を回転させ、且つ、前記第２電圧により、上記複数のセグメントパターンの少なくとも一個における各個別セグメントは偏光を回転させず、且つ、前記第３電圧により前記第１液晶ディスプレイは偏光を回転させ、且つ前記第４電圧により上記第１液晶ディスプレイは偏光を回転させないことを要旨とする。
【００５９】
請求項７３に記載の発明は、請求項７１に記載の時計面において、前記第３電圧は前記第１背景を可視にし、且つ前記第４電圧は前記第２背景を可視にすることを要旨とする。
【００６０】
請求項７４に記載の発明は、請求項７１に記載の時計面において、前記主要電圧および副次電圧を調節する手段を更に備えてなることを要旨とする。
請求項７５に記載の発明は、請求項７４に記載の時計面において、前記調節手段は電子的に起動されることを要旨とする。
【００６１】
請求項７６に記載の発明は、請求項７４に記載の時計面において、前記調節手段は手動で起動されることを要旨とする。
請求項７７に記載の発明は、請求項６８に記載の時計面において、前記複数のセグメントパターンの少なくとも一個を制御して選択するパターン選択手段を更に備えてなることを要旨とする。
【００６２】
請求項７８に記載の発明は、請求項７７に記載の時計面において、前記パターン選択手段は電子的に起動されることを要旨とする。
請求項７９に記載の発明は、請求項７７に記載の時計面において、前記パターン選択手段は手動で起動されることを要旨とする。
【００６３】
請求項８０に記載の発明は、請求項５に記載の時計面において、電圧切換手段を更に備え、該電圧切換手段は、各セグメントパターンが前記第１液晶ディスプレイにおける前記複数の個別セグメントの少なくとも一個を含む第１の複数のセグメントパターンの少なくとも一個に対して選択的に印加される主要電圧と、各セグメントパターンが前記第２液晶ディスプレイにおける前記複数の個別セグメントの少なくとも一個を含む第２の複数のセグメントパターンの少なくとも一個に対して選択的に印加される副次電圧とを制御することを要旨とする。
【００６４】
請求項８１に記載の発明は、請求項８０に記載の時計面において、前記電圧切換手段は電子的に起動されることを要旨とする。
請求項８２に記載の発明は、請求項８０に記載の時計面において、前記電圧切換手段は手動で起動されることを要旨とする。
【００６５】
請求項８３に記載の発明は、請求項８０に記載の時計面において、前記電圧切換手段は前記主要電圧を第１および第２電圧の間で交番し、且つ前記副次電圧を第３および第４電圧の間で交番することを要旨とする。
【００６６】
請求項８４に記載の発明は、請求項８３に記載の時計面において、前記第１電圧により、前記第１の複数のセグメントパターンの少なくとも一個における各個別セグメントは偏光を回転させ、且つ、前記第２電圧により、上記第１の複数のセグメントパターンの少なくとも一個における各個別セグメントは偏光を回転させず、且つ、前記第３電圧により、前記第２の複数のセグメントパターンの少なくとも一個における各個別セグメントは偏光を回転させ、且つ、前記第４電圧により、上記第２の複数のセグメントパターンの少なくとも一個における各個別セグメントは偏光を回転させないことを要旨とする。
【００６７】
請求項８５に記載の発明は、請求項８３に記載の時計面において、前記第３電圧は前記第１背景を可視にし、且つ前記第４電圧は前記第２背景を可視にすることを要旨とする。
【００６８】
請求項８６に記載の発明は、請求項８３に記載の時計面において、前記主要電圧および副次電圧を調節する手段を更に備えてなることを要旨とする。
請求項８７に記載の発明は、請求項８６に記載の時計面において、前記調節手段は電子的に起動されることを要旨とする。
【００６９】
請求項８８に記載の発明は、請求項８６に記載の時計面において、前記調節手段は手動で起動されることを要旨とする。
請求項８９に記載の発明は、請求項８０に記載の時計面において、前記各複数のセグメントパターンの少なくとも一個を制御して選択するパターン選択手段を更に備えてなることを要旨とする。
【００７０】
請求項９０に記載の発明は、請求項８９に記載の時計面において、前記パターン選択手段は電子的に起動されることを要旨とする。
請求項９１に記載の発明は、請求項８９に記載の時計面において、前記パターン選択手段は手動で起動されることを要旨とする。
【００７１】
本発明は、先行技術の時計技術の多くの不具合に対処する。本発明は、２つ以上の色を表示し得る、選択的に変化する背景を備えた時計面を用いた時計であって、低減された全体的厚みを有すると共に独特の光学的効果およびパターンを表示し得る時計面を有する時計を包含する。
【００７２】
特に本発明は、下方の各層に向けて約５０％の光を効率的に通過させるように通過光を偏光する偏光素子層を備える、選択的背景を有する時計面を用いる。上記偏光素子の下方には、当該液晶ディスプレイ（ＬＣＤ）が“ＯＦＦ”または“ＯＮ”状態のいずれに在るかに応じて選択的に偏光を回転させるか、または回転させないＬＣＤが在る。上記光が回転される場合には、上記ＬＣＤの下方に配置された反射偏光素子層は該反射偏光素子層の表面で上記偏光を反射することにより、該光を上記時計面の表面に向けて上方に導向する。これにより上記時計面には、第１色、すなわち第１実施形態においては鏡面反射された灰色が提供される。上記光が回転されない場合には、該光は上記反射偏光素子層を介して、反射的文字盤表面である上記時計面の底部に向けて下方に透過される。上記文字盤表面から反射された上記光は上記時計面の表面に向けて上方に反射されて、上記第１色とは異なる第２色を上記時計面に提供する。
【００７３】
本発明の別実施形態においては、上記ＬＣＤと上記反射偏光素子層との間に色変化層が配置される。この色変化層は、着色偏光素子または位相差フィルムのいずれかからなる。いずれの場合も、そのときに生成される上記第１色は可視スペクトルからのものである。故に上記第１色および第２色は異なるものであり、選択的背景を備えた時計面を有する時計を消費者に提供する。
【００７４】
本発明の別実施形態においては、相互に上下に縦列配置された二重ＬＣＤディスプレイを用いることにより、視覚的美観および人間工学性が改良される。この実施形態の一変形例において、一方のＬＣＤは所望の視覚的ディスプレイセグメントを有し、他方のＬＣＤは色変化背景を備える。この実施形態の別の変形例において上記第２のＬＣＤは、他方のＬＣＤの各視覚的ディスプレイセグメント間に伴う間隙に一致して該間隙を埋める視覚的ディスプレイセグメントを備えた色変化背景を更に備える。
【００７５】
他の実施形態においては、上記背景に対して更なるディスプレイ特徴が付加され得る。上記反射的文字盤表面に対しては、パターン、ロゴ、虹色に輝く色、３次元テクスチャまたは外観、および、他の興味深い光学的効果が付加され得る。もし使用されるＬＣＤが電気制御式複屈折ＬＣＤであれば、単に１つまたは２つだけでなく多数の背景色が可能である。
【００７６】
本発明の幾つかの実施形態に見られる更に別の特徴は本発明の計時器の内部構成要素の新規な構成であり、これは対象となる計時器の厚みを大幅に低減することから、計時器を装着する者の快適さが向上される。上記の新規な構成は、大寸のバッテリがＰＣＢの直ぐ背後に載置されるという従来の配置構成の代わりに、ＰＣＢと並べて２個の小寸バッテリを配置することを備える。これにより、全体的に更に薄寸の可動部（ムーブメント）が許容され得ることから、時計の機能性を損なうことなく時計が更に薄寸とされる。
【００７７】
【発明の実施の形態】
本発明の特徴と確信される新規な特徴は添付の請求の範囲に示される。但し本発明自体ならびにその好適な使用形態、更なる目的および利点は、添付図面を参照して例示的実施形態に関する以下の詳細な説明を読破すれば最適に理解されよう。
【００７８】
図２（Ａ）および図２（Ｂ）は、改良された色変化ＬＣＤ配置構成２００に対する本発明の一実施形態を示している。改良された配置構成２００に依れば、色変更可能セグメントすなわち完全に色変更可能な背景を生成するディスプレイが可能である。これは特に、時計用文字盤の背景などの計時器用背景に対して有用である。
【００７９】
使用に際し、配置構成２００に対しては入射光２１０が導向される。図２（Ａ）におけるように第１電圧が印加されて配置構成２００が“ＯＦＦ”状態に在るか図２（Ｂ）におけるように第２電圧が印加されて配置構成２００が“ＯＮ”状態に在るかによって、入射光２１０は第１色または第２色のいずれかとして配置構成２００から反射される。すなわち、“ＯＦＦ”状態において、入射光２１０は第１色２１２として反射される。“ＯＮ”状態において、入射光２１０は第２色２１４として反射される。
【００８０】
図２（Ａ）に示されたように、第１色２１２に到達するために入射光２１０は“ＯＦＦ”状態に在る配置構成２００を通過せしめられる。配置構成２００の第１層は偏光素子層２２０である。偏光素子層２２０は、入射光の所定の第１方向の直線偏光を透過させ、かつ斯かる第１方向の直線偏光に直交する方向の直線偏光を吸収する材料からなる。偏光素子層２２０は、配置構成２００の各下方層に向けて約５０％の光を効率的に前方へ通過させ得る。詳細には、偏光素子層２２０を通過する透過光は、液晶ディスプレイ（ＬＣＤ）層２３０に向けて指向される。
【００８１】
ＬＣＤ２３０は、ねじれネマティック（ＴＮ）液晶などの偏光軸変更要素を備える。ＬＣＤ２３０に対して第１電圧が印加される“ＯＦＦ”状態において、今や偏光された入射光はＬＣＤ２３０を通過し、上記直線偏光の所定の第１方向に対して約９０°旋回される。
【００８２】
今や旋回された偏光は次に、反射偏光素子フィルム２５０へと前方に通過する。反射偏光素子フィルムはＯｕｄｅｒｋｉｒｋ等に発行された上記米国特許第５，８２８，４８８号において開示されており、該特許は本明細書中に援用される。本質的に上記反射偏光素子は、第１偏光方向を有する光を透過させ、この第１方向とは異なる偏光方向を有する光を反射する。よって、この光の配向は反射偏光素子フィルム２５０の配向から外れているため、“ＯＦＦ”状態においてＬＣＤ２３０を通過した光２１０はフィルム２５０の表面から反射される。反射された光は次に、配置構成２００の表面へと単なる白色光２１２として戻り通過する。白色光２１２は着色されないが、反射偏光素子フィルム２５０のために鏡面状の背景（ｍｉｒｒｏｒｅｄ  ｂａｃｋｇｒｏｕｎｄ）（すなわち銀色）として見える。
【００８３】
次に図２（Ｂ）を参照すると、ＬＣＤに第２電圧が印加されて“ＯＮ”状態に在るＬＣＤ２３０に依ると、ＬＣＤ２３０を通過する偏光は“ＯＦＦ”状態で生じた様には旋回されない。各ＬＣＤセグメントがＯＮに切換えられる（すなわち第２電圧が印加される）と、各ＬＣＤセグメントは偏光の透光性と平行になり、偏光を回転しない。故に、偏光が反射偏光素子フィルム２５０に到達したとき、上記光は回転されていないので上記光の配向はフィルム２５０の偏光性に一致し、層２６０に向けてフィルム２５０を通過する。配置構成２００においてフィルム２５０の下方に配設される層２６０は、時計用文字盤などの模様付けされた表面および／または着色された表面である。層２６０へと通過する光は層２６０の表面に衝当する。この光は次に上方の各層を介して反射され、着色光２１４となる。光２１４の外観および色は、配置構成２００の上方における観察者に対して層２６０の表面と同一となる。層２６０の色は、可視スペクトルにおける任意の色から成り得る。これに代わって、層２６０は、単独でまたは選択された色と共に該層上に刻印されたテクスチャデザインまたはロゴを有し得る。
【００８４】
図３および図４は、図２（Ａ）および図２（Ｂ）におけるのと同様であるが付加的な層を含んだ配置構成３００を開示している。この付加的な層は、着色偏光素子フィルムまたは位相差フィルム３４０である。上述の例と同様に、入射光３１０は偏光素子３２０を通過する。その後、偏光はＬＣＤ３３０へと通過する。図３に示されたように第１電圧が印加された“ＯＦＦ”状態において、ＬＣＤ３３０は上記光を約９０°旋回する。図２（Ａ）に示された配置構成と異なり、上記光は次に着色偏光素子フィルムまたは位相差フィルム３４０を通過する。特にフィルム３４０は、上記光の光位相差を調節する着色位相差フィルム、または、着色偏光素子から成り得る。フィルム３４０によれば、光の一定の着色要素は選択的に吸収されて後続層へと透過され得る。上記光は今や反射偏光素子フィルム３５０から反射されると共に、配置構成３００の表面に向けて上方に投射され、フィルム３４０の色に一致する着色光３１２として現れる。
【００８５】
図４に示されたようにＬＣＤ３３０に対して第２電圧が印加される“ＯＮ”状態において、入射光３１０は偏光素子３２０を介して、且つ配向が変更されること無くＬＣＤ３３０を通過する。上記光は次に殆ど色変化なしに着色偏光素子フィルムまたは位相差フィルム３４０を介して反射偏光素子フィルム３５０へと通過される。フィルム３５０に指向される上記光の配向は該フィルムの偏光性と一致することから、上記光は層３６０に向かって通過し、該層の反射的表面に衝当する。上記光は次に反射されて上方の各層を通り、着色光３１４となる。配置構成３００の上方の観察者に対して光３１４の外観および色は、層３６０の反射的表面と同一である。図２（Ａ）および図２（Ｂ）に関して記述された例における様に一方の状態が無色（鏡面化）であり且つ第２状態は色を有するのと対照的に、フィルム３４０を付加すると着色光３１２および３１４は可視スペクトルから選択された異なる色として見え得る。たとえば光３１２の色は青を示し、光３１４の色は赤を示し得る。
【００８６】
上記実施形態の配置構成３００の変更例において、偏光素子層の配向は従来の様式で回転され得る。但し明るい背景上の暗いセグメントを有するという従来のポジ式ディスプレイと異なり、配置構成３００のこの変更例は暗い背景上に明るいセグメントを有するというネガ式ディスプレイとして見える。配置構成３００のこの変更例を用いると偏光素子層３２０、ＬＣＤ層３３０および底部反射偏光素子３５０は相互に対して回転され得ることから、“ＯＦＦ”状態においてＬＣＤ３３０を通過する入射光３１０は、該光３１０が反射偏光素子フィルム３５０を介して層３６０へと通過して該層の反射的表面に衝当する如き配向を有する。これにより、“ＯＦＦ”状態において観察者へと反射される上記光は表面３６０の色および／またはパターンである光３１４として見える。“ＯＮ”状態において光３１０は、反射偏光素子フィルム３５０の表面から反射されることで光３１２を観察者へと反射する。
【００８７】
偏光素子層の配向におけるこの変更配置は、図２（Ａ）および図２（Ｂ）に示された配置構成２００に対しても適用され得る。“ＯＦＦ”状態におけるＬＣＤ２３０と共にこの変更配置を用いると光２１４は観察者に対して着色され且つ／又はパターン化されて見える、と言うのも、光は層２６０の表面から反射されるからである。“ＯＮ”状態におけるＬＣＤ２３０に依れば、光２１２は反射偏光素子フィルム２５０からの反射により鏡面的に見える。
【００８８】
次に図５を参照すると上記実施形態の代替的配置構成３００ａにおいて、位相差層および／または偏光素子層３４０はＬＣＤ３３０の上方で偏光素子３２０の下方にも載置され得るか、或いは、一定の場合には単純に頂部偏光素子３２０自体が無彩色の偏光素子（ｎｅｕｔｒａｌ  ｐｏｌａｒｉｚｅｒ）の代わりに着色偏光素子とされ得る。
【００８９】
図６（Ａ）および図６（Ｂ）は、図３および図４に関して上述された配置構成３００を用いる時計の例を開示している。時計４００は時計面４１０を有し、該面４１０の表面の上方にはアナログ針４２０が配設される。針４２０の位置を調節すべく、たとえば調節器４３０が配備され得る。面４１０の背景色を選択的に制御すべく、たとえば制御用アクチュエータ４３２も配備され得る。上記時計面の（図示せず）各層を貫通して配設される孔により、該時計面に対して時計針４２０を固定するポストが載置され得る。これにより時計針４２０は然るべく運動して時間を表し得る。
【００９０】
図６（Ａ）に示されたように、時計面４１０は第１色４１２を有する。この例においてこれは、図３の配置構成３００を用いて達成される。故に時計４００において上記ＬＣＤは“ＯＦＦ”状態である。よって、入射光は反射偏光素子フィルム３５０で反射されるので、色４１２はフィルム３４０の色として見える。
【００９１】
図６（Ｂ）で時計面４１０は第２色４１４を有する。この例においてこの色は、図４の配置構成３００を用いて達成される。故に時計４００における上記ＬＣＤは“ＯＮ”状態である。よって、入射光は反射偏光素子フィルム３５０を通過して層３６０の表面から反射されるので、色４１４は層３６０の表面の色として見える。此処では選択的色を備えた背景を用いる例として時計が記述されたが、これらの配置構成を用いる他の実施形態も可能である。
【００９２】
上記の実施形態のＬＣＤの制御を促進すべく、本発明において、必要に応じて公知の電子回路（ｅｌｅｃｔｒｏｎｉｃｓ）が組み込まれることが理解される。これにより、時計に必要な背景の色変更、および、電子回路の制御および駆動が促進される。これらの電子回路に依れば、２秒毎にひとつの色から別の色へと切換えるなどの所定のパターンもしくは周期に依る色変更を可能にしたり、または、複数色のうちから１色を選択して静的に表示するという機能がユーザに与えられ得る。
【００９３】
次に図７（Ａ）および図７（Ｂ）を参照すると、本発明の実施形態の付加的配置構成５００において、配置構成２００および３００の従来のＬＣＤ２３０および３３０よりむしろ電子制御式複屈折（ＥＣＢ）ＬＣＤ５３０が使用される。ＥＣＢ  ＬＣＤは、液晶の複屈折を操作すべく電界を使用する。中間電圧からなる電界により液晶の配向を変更することで、ＥＣＢ  ＬＣＤは反射光の色を制御し得る。印加電圧を変更すると、上記ＬＣＤはディスプレイ上に異なる色を表示する。無彩色の偏光素子を備えた典型的なＥＣＢ  ＬＣＤを用いて、ピンクから緑を介して暗い青に亙る色を生成し得る。異なる色変化を生成し得るＥＣＢ  ＬＣＤを作成するには、異なる着色偏光素子、着色反射器および位相差フィルム層も利用され得る。故にＥＣＢ  ＬＣＤは、可視スペクトル内におけるすべての色域を提供し得る。これにより、背景に対する単純なひとつまたは２つの色からの選択ではなく、複数の色選択肢の生成が許容される。上記電子回路は自動的にまたはユーザの選択により、中間電圧にて選択色を生成し、または、これらの種々の色間で滑らかなグラデーション変化を生成する様にも改変され得る。
【００９４】
電圧要件は一般的には正確な電圧（たとえば“ＯＦＦ”電圧＝０Ｖ、“ＯＮ”電圧＝４．０Ｖ）に基づいて述べられるが、従来のＬＣＤまたはＥＣＢ  ＬＣＤにおける“ＯＦＦ”状態もしくは“ＯＮ”状態をトリガするために必要な電圧は正確である必要は無いが、特定の電圧閾値より低くか、または高くされねばならない。故に従来のＬＣＤにおいて“ＯＦＦ”もしくは“ＯＮ”状態をトリガする為に必要な電圧は、適切な中間電圧のスペクトルに跨って変更され得る。たとえば第１電圧（すなわち“ＯＦＦ”状態をトリガするに必要な電圧）は特定の固定電圧ではなく、適切な中間電圧のスペクトル内における電圧である。たとえば一実施形態において第１電圧は０．０Ｖ乃至０．５Ｖに亙り得る。同様に第２電圧（すなわち“ＯＮ”状態をトリガするのに必要な電圧）もまた特定の固定電圧ではなく、適切な中間電圧のスペクトル内の電圧である。たとえば一実施形態において第２電圧は３．５Ｖ乃至４．５Ｖに亙り得る。
【００９５】
選択色に依る背景に対する上述の配置構成は時計に対して特に有用で望ましいが、他の用途も可能である。たとえば、表示用看板、置時計および種々の商品は、選択色を有する背景を利用し得る。更に、多様性を提供するためには背景が虹色外観、独特のパターンおよび／または３次元外観を有し得ることは有利である。時計面が各セグメントに分割される、という時計用の付加的なディスプレイも可能である。図７（Ｂ）に示されたように、図７（Ａ）に示された配置構成５００を用いる時計５８０の例においては、時計面もまたたとえば５８０ａ〜５８０ｆなどの複数の別個の色セグメントまたは形状へと分割され得る。更に、時計面のＥＣＢ  ＬＣＤ５３０および各層を用いると、時計面はその各セグメントにおいて異なる色を生成すべく設定され得る。
【００９６】
次に図８（Ａ）および図８（Ｂ）を参照すると、ＬＣＤデジタルディスプレイ６１０を含む先行技術の計時器デバイス６００の例が示されている。ディスプレイ６１０は、一般的には“７セグメントＬＣＤディスプレイ”と称されるたとえば６２０ａ、６２０ｂ、６２０ｃ、６２０ｄなどの複数のセグメント化ディスプレイを備える。７セグメントＬＣＤディスプレイは、ＬＣＤを使用して英数字および記号を形成する従来の技術では典型的なものである。個別のセグメント（たとえばセグメント化ディスプレイ６２０ｂにおけるα、β、δ、ε、η、μ、Λ）に取付けられた小寸電極はＴＮ液晶に帯電させて各層を非旋回とすることから、光は偏光膜を透過しない。特定のセグメントパターンに印加された電圧は、多様な英数字および記号を生成する。たとえばセグメントパターン（β、δ）に電圧を印加すると数字“３”が形成される。同様にセグメントパターン（α、ε）に電圧を印加すると文字“Ｈ”を生じる。
【００９７】
現在、典型的なＬＣＤデジタル時計は、灰色背景上の黒セグメント（すなわちポジ式ディスプレイ）または黒背景上の灰色セグメント（すなわちネガ式ディスプレイ）のいずれかを表示する。しかし、デジタルディスプレイを組み込んだ時計および他の消費者用品の市場性および機能性を強化するためには、付加的な色のスペクトルを効率的に活用する機能が不可欠である。
【００９８】
先に述べたＢｒｅｗｅｒ等の’１８５号および’４５６号特許は、計時器デバイスに対して色変化ＬＣＤを組み込む方法を教示している。色変化ＬＣＤ時計面に対してアナログディスプレイを組合せることに加えてＢｒｅｗｅｒ等の特許は更に、組み込まれたデジタル時間ディスプレイに色変化ＬＣＤを組合せることを開示している。しかし、デジタル読取値を表示すると共に色変化背景の役割を果たす単一の色変化ＬＣＤを用いると幾つかの本来的な制限があり、ディスプレイの視覚的鋭敏さおよび美観が対応して損なわれる。上記制限は本来的には、ＬＣＤが組み立てられるプロセスから生ずる。たとえば、個々のＬＣＤセグメントを接続すべく使用される配線は、視認不能に食刻されたインジウムすず酸化物（ＩＴＯ）を用いてＬＣＤの可視領域内でガラスの内部に食刻される。故に、デジタル読取値を表示すると共に色変化背景としての役割を果たす単一の色変化ＬＣＤを用いると、背景を横切り乍らも色を変更し得ない一連の線を生じるのは避けられない。
【００９９】
更に、個別セグメントを用いて英数文字のディスプレイを生成すると必然的に、個別セグメントを相互に分離する特性線のために個々の文字および記号の視覚的デザイン特性が制限される。
【０１００】
本発明の進歩的解決策は、単一モジュールに２個のＬＣＤの縦列配置（ｔａｎｄｅｍ  ａｒｒａｎｇｍｅｎｔ）を組み込むことである。一実施形態において、一方のＬＣＤは色変化背景の役割を果たすべく専用とされ、他方のＬＣＤは所望の時間ディスプレイセグメントを有する。図９を参照すると、二重ＬＣＤ配置構成７００を特徴とする本発明の好適な構成が示される。配置構成７００は、頂部偏光素子層７２０と、その背後の第１ＬＣＤ７３０と、それに続く第２ＬＣＤ７３２とを備える。一実施形態において上記２個のＬＣＤは両者間に間隙を以て、モジュール内に固定され得る。別実施形態において上記２個のＬＣＤは、最も明るいディスプレイを確実に可能とすべく空気間隙を有さずに相互に接合される。２個のＬＣＤ間の空気間隙を排除すると、反射に依る光喪失は大幅に減少される。好適実施形態においては上記２個のＬＣＤを相互に接合すべく、各ＬＣＤの屈折率に一致する屈折率とされたエポキシなどの光学的密封剤７２２が使用される。第２ＬＣＤ７３２の背後には着色偏光素子フィルムまたは位相差フィルム７４０が配設され、これに対しては反射偏光素子フィルム７５０からなる層が続き、更には、文字盤背景または反射器を背後に備えた着色半透明スクリーンから成り得る反射層７６０が続く。上記実施形態の変形例においては、従来の吸収性偏光素子も層７５０内に使用され得る。上記実施形態の別の変形例においては、所望の視覚効果を生成すべく、透明反射層７６０および着色頂部偏光素子層７２０が使用され得る。
【０１０１】
配置構成７００の好適実施形態において、第１ＬＣＤ７３０はデジタルディスプレイのためにセグメント化される一方、第２ＬＣＤ７３２はディスプレイ面背景色を生成すべく使用される。この構成に依れば、デジタルＬＣＤ７３０の各セグメントは着色偏光素子層（または灰色を生じる着色なしの偏光素子層）の存在により生成されるひとつの色を表示すると共に、背景ＬＣＤ７３２は反射偏光素子７５０の背後で生成された任意の色を表示する。更に、最も簡素な形態において、ディスプレイ背景色を生成すべく使用されるＬＣＤ７３２は変化背景を表す単一セグメントからなるが、本発明はまた、ディスプレイ面背景色を生成すべく利用されるＬＣＤ７３２を、前述の方法を用いる複数の個別着色セグメントへと分割することも企図する。
【０１０２】
更に、配置構成７００の他の構成においてディスプレイ全体の視覚的美観を高めるに適切と思われる場合には、二重ＬＣＤ７３０，７３２の機能性は置き換えられ得る。たとえばディスプレイ背景色を生成すべく使用されるＬＣＤ７３２は、デジタルディスプレイの為にセグメント化されたＬＣＤ７３０上のデジタルディスプレイを補足するデジタルディスプレイも含み得る。図１０に示されたようにＬＣＤ７３２のセグメント化デジタルディスプレイ７８０は、ＬＣＤ７３０のセグメント化デジタルディスプレイ７７０を補足すべく構成される。デジタルディスプレイ７８０は、二重ＬＣＤ７３０，７３２が適切に整列されたときにデジタルディスプレイ７８０の種々の個別セグメントがＬＣＤ７３０のセグメント化デジタルディスプレイ７７０における内在する間隙の直下に配置されるように設計される。起動されたときにデジタルディスプレイ７８２はデジタルディスプレイ７７２を補足し、外観が改善された組合せデジタルディスプレイ７９０を生じる。斯かる補足的なＬＣＤデジタルディスプレイの層状化は、更に複雑なフォントおよび記号を採用する設計者の能力を大幅に強化することも理解される。
【０１０３】
二重ＬＣＤを特徴とする本発明の最も基本的な実施形態において、第１ＬＣＤ７３０の個別セグメントは第１色を表示すると共に、第２ＬＣＤ７３２は第１色の補足的個別セグメントと第２色からなる背景とを表示する。現在製造されるＬＣＤは典型的には、灰色背景上の色セグメント（すなわちポジ画像ディスプレイ）または着色背景上の灰色セグメント（すなわちネガ画像ディスプレイ）のいずれかである。本発明は別実施形態において、それにより表示された第１色および第２色が反転または変更され得るという切換手段を更に含み得る。上記ディスプレイには従来の設計態様のマイクロプロセッサが組み込まれ、第１および第２ＬＣＤ７３０，７３２に印加される電力を制御し得る。たとえば第１ＬＣＤ７３０に印加される電圧が前述の“ＯＦＦ”および“ＯＮ”状態に対応する第１電圧および第２電圧の間で交互に切換わり、相応して第１ＬＣＤ７３０の起動部分が偏光を回転させるか、または回転させないかのいずれかとなる。同様に、第２ＬＣＤ７３２に印加される電圧が前述の“ＯＦＦ”および“ＯＮ”状態に対応する第３電圧および第４電圧の間で交互に切換わり、相応して第２ＬＣＤ７３２の起動部分が偏光を回転させるか、または回転させないかのいずれかとなる。故に本発明の切換手段に依れば、二重ＬＣＤ配置構成７００はポジ画像ディスプレイからネガ画像ディスプレイへと変化し得る。これに加えて上記切換手段は、事前プログラム様式で電子的に起動され、または、図６（Ａ）および図６（Ｂ）に示されたアクチュエータ４３２などの制御用アクチュエータを用いて、事前プログラムされた方式、または手動で起動され得る。
【０１０４】
当業者であればこの進歩的配置構成が如何にして、層状化された２つのディスプレイ間の“ＯＦＦ”および“ＯＮ”セグメントの重畳に応じた光の種々の偏光回転、および、種々の偏光素子および着色層に応じた生成色を生じるかを理解し得よう。ひとつの配向において、幾つかの付加的な着色層は、必ずしも本発明を作用させるのに必要ではないが、異なる着色セグメントおよび背景が在るという好適実施形態においては望ましい。幾つかの場合において、着色背景は第１および第２色間の最大の色差を生成し得るが、各セグメントが第１色であるとき、背景は電圧制御されて中間色を生成してもよい（たとえば青色背景もしくは紫色（中間色）背景のいずれか上の赤セグメント）。他の実施形態においては、より明るい色の階調を生成すべくひとつ以上の偏光素子層が除去され得る。
【０１０５】
セグメント化ＬＣＤディスプレイを含む本発明の実施形態に関する付加的な特徴は、前述の切換手段と共に使用されるパターン選択手段である。該パターン選択手段は、電圧が印加されるセグメントのパターンの選択を制御する。上記パターン選択手段は、事前プログラムされた電子制御方式で電圧パターンを選択すべくプログラムされる（すなわち一実施形態においてパターン選択手段は単に、デジタル時間表示を生成すべく上記切換手段と組合せて使用される電子的クロック機構から成り得る）か、または、図６（Ａ）および図６（Ｂ）に示されたアクチュエータ４３２と同様の制御用アクチュエータを用いて手動で起動され得る。更に、上記の補足的なＬＣＤディスプレイを使用すると、ひとつのＬＣＤ上に表示される電圧パターンが他方のＬＣＤ上に表示されるパターンを補足し得る。故に、更に複雑で多様な英数文字および記号を生成する能力が大幅に強化される。
【０１０６】
本発明の別の特徴としては、特定のＬＣＤに印加される電圧が適切な中間電圧のスペクトル内で選択的に変更されて上述の“ＯＦＦ”および“ＯＮ”状態をトリガするという電圧制御手段が挙げられる。故に“ＯＦＦ”または“ＯＮ”状態をトリガするに必要な電圧（たとえば、夫々、第１および第３電圧ならびに第２および第４電圧）は特定の適切な中間電圧のスペクトル内の任意の特定電圧へと選択的に調節され得る。これは特に、種々の特定中間電圧を選択するとＬＣＤが種々の色を表示するというＥＣＢ  ＬＣＤを用いる本発明の実施形態に対して適用可能である。上記電圧制御手段は、事前プログラムされた電子制御方式で印加される電圧を変更すべくプログラムされるか、または、図６（Ａ）および図６（Ｂ）に示されたアクチュエータ４３２の如き制御用アクチュエータを用いて手動で起動され得る。
【０１０７】
本発明の別の特徴は計時器自体の物理的な使い心地に関し、これによれば本発明の計時器の内部構成要素の新規な構成の結果として、対象となる計時器の厚みが大幅に低減されることから、計時器を装着する対象者の快適さが高められる。次に図１１を参照すると、時計内部の構成要素の従来の配置構成８００を例示する従来技術の計時器の例が示される。典型的に各構成要素は、液晶ディスプレイ８１０と、これに続くプリント配線基板（ＰＣＢ）アセンブリ８２０と、それに続くバッテリ８３０とからなる積層アセンブリ内に配置される。この配置構成において生じる計時器の厚みは、積層された各構成要素の厚みの合計により左右される。このことは特に、当該アナログ時計針可動部８２２を収容するためにＬＣＤディスプレイ８１０を貫通して穿孔することにより、アナログ時計針可動部８２２を組み込む場合に問題である。生じた計時器の厚みにより、時計の物理的な使い心地が損なわれる。
【０１０８】
図１２（Ａ）および図１２（Ｂ）に示されたように本発明の計時器の内部構成要素の新規な構成９００は、大寸のバッテリ８３０がＰＣＢ８２０の直後に載置されるという従来の配置構成８００の代わりに、ＰＣＢおよびＬＣＤディスプレイ９２０に対して並置して２個の小寸バッテリ９１０、９１２を配置することを備える。たとえば一実施形態においては、従来の配置構成８００で用いられる典型的な一個の３ボルトバッテリを用いる代わりに、本発明の計時器はＰＣＢおよびＬＣＤディスプレイ９２０に対して並置された２個の１．５ボルト酸化銀バッテリを採用する。故にこの新規な構成９００に依れば、全体的に更に薄寸の可動部が許容されることから、時計の機能性を損なうことなく時計が更に薄寸に更に快適とされる。
【０１０９】
上記の開示においては他の改変、変更および置き換えが企図されると共に、一定の場合において本発明の幾つかの特徴は、他の特徴を対応して用いることなく採用されることが理解される。故に添付の請求の範囲は広範囲に且つ本発明の有効範囲と一致するように解釈されるのが適切である。
【０１１０】
【発明の効果】
本発明によれば、装着時の人間工学的な快適さが向上されるとともに、優れたファッション性を有する時計を提供することができる。
【図面の簡単な説明】
【図１】  先行技術のディスプレイデバイスの概略的側面図。
【図２】  （Ａ）本発明の実施形態に従い選択的に変化する背景を有すると共に液晶ディスプレイが“ＯＦＦ”状態とされた時計面の各層を示す垂直断面図。（Ｂ）本発明の実施形態に従い選択的に変化する背景を有すると共に液晶ディスプレイが“ＯＮ”状態とされた時計面の各層を示す垂直断面図。
【図３】  色変化層を用いた本発明の実施形態に従い選択的に変化する背景を有すると共に液晶ディスプレイが“ＯＦＦ”状態とされた時計面の各層を示す垂直断面図。
【図４】  色変化層を用いた本発明の実施形態に従い選択的に変化する背景を有すると共に液晶ディスプレイが“ＯＮ”状態とされた時計面の各層を示す垂直断面図。
【図５】  色変化層を用いた本発明の実施形態に従い選択的に変化する背景を有する時計面の各層を示す垂直断面図。
【図６】  （Ａ）本発明の実施形態に従い作成されて時計内に配設され、液晶ディスプレイは“ＯＦＦ”状態に在ることで第１色を生成している時計面の上平面図。（Ｂ）本発明の実施形態に従い作成されて時計内に配設され、液晶ディスプレイは“ＯＮ”状態に在ることで第２色を生成している時計面の上平面図。
【図７】  （Ａ）電気制御式複屈折（ＥＣＢ）ＬＣＤを特徴とする本発明の実施形態に従い選択的に変化する背景を有する時計面の各層を示す垂直断面図。（Ｂ）本発明の実施形態に従い作成されて時計内に配設され、種々の色セグメントを表示すべく電気制御式複屈折（ＥＣＢ）ＬＣＤが使用された時計面の上平面図。
【図８】  （Ａ）ＬＣＤディスプレイを特徴とする先行技術の時計の上平面図。（Ｂ）ＬＣＤの可視領域においてガラスの内部で食刻された視認不能な食刻ＩＴＯ（インジウムすず酸化物）セグメントを示す先行技術のＬＣＤディスプレイの上平面図。
【図９】  二重ＬＣＤ配置を特徴とする本発明の実施形態に従い選択的に変化する背景を有する時計面の各層を示す垂直断面図。
【図１０】  本発明の実施形態に従い配置されたディスプレイにおいて二重ＬＣＤ配置を採用することで得られる視覚的鋭敏さの改善を示す図。
【図１１】  ＰＣＢに対して縦列配置された従来のバッテリ位置を示す先行技術のディスプレイデバイスの断面図。
【図１２Ａ】  ディスプレイおよび電源の内部構成要素の新規な構成を示す本発明の実施形態の側断面図。
【図１２Ｂ】  ディスプレイおよび電源の内部構成要素の新規な構成を示すべく本発明の実施形態に従い作成された時計面の上平面図。
【符号の説明】
１１０…電圧印加状態、１１１…入射光、１１２…着色発光、１２０…電圧不印加状態、１２１…入射光、１２２…白色発光、１３０…偏光素子、１４０…ねじれネマティック（ＴＮ）液晶、１５０…光散乱層、１６０…偏光分離器、１７０…着色層、１８０…反射プレート、２００…色変化ＬＣＤ配置構成、２１０…入射光、２１２…第１色／白色光、２１４…第２色／着色光、２２０…偏光素子層、２３０…液晶ディスプレイ層、２５０…反射偏光素子フィルム、２６０…層、３００…配置構成、３００ａ…代替的配置構成、３１０…入射光、３１２…着色光、３１４…着色光、３２０…偏光素子層、３３０…ＬＣＤ層、３４０…着色偏光素子フィルム／位相差フィルム、３５０…反射偏光素子フィルム／底部反射偏光素子、３６０…層、４００…時計、４１０…時計面、４１２…第１色、４１４…第２色、４２０…アナログ針／時計針、４３０…調節器、４３２…制御用アクチュエータ、５００…付加的配置構成、５３０…電子制御式複屈折（ＥＣＢ）ＬＣＤ、５８０…時計、５８０ａ〜５８０ｆ…別個の色セグメント、６００…計時器デバイス、６１０…ＬＣＤデジタルディスプレイ、６２０ａ，６２０ｂ，６２０ｃ，６２０ｄ…セグメント化ディスプレイ、７００…二重ＬＣＤ配置構成、７２０…頂部偏光素子層、７２２…光学的密封剤、７３０…第１ＬＣＤ／デジタルＬＣＤ、７３２…第２ＬＣＤ／背景ＬＣＤ、７４０…着色偏光素子フィルム／位相差フィルム、７５０…反射偏光素子フィルム、７６０…反射層／透明反射層、７７０…セグメント化デジタルディスプレイ、７７２…デジタルディスプレイ、７８０…セグメント化デジタルディスプレイ、７８２…デジタルディスプレイ、７９０…組合せデジタルディスプレイ、８００…配置構成、８１０…液晶ディスプレイ、８２０…プリント配線基板（ＰＣＢ）アセンブリ、８２２…アナログ時計可動部／アナログ時計針可動部、８３０…バッテリ、９００…構成、９１０，９１２…小寸バッテリ、９２０…ＰＣＢおよびＬＣＤディスプレイ
【図１】
0003755595.tif 000002
【図２】
0003755595.tif 000003
【図３】
0003755595.tif 000004
【図４】
0003755595.tif 000005
【図５】
0003755595.tif 000006
【図６】
0003755595.tif 000007
【図７】
0003755595.tif 000008
【図８】
0003755595.tif 000009
【図９】
0003755595.tif 000010
【図１０】
0003755595.tif 000011
【図１１】
0003755595.tif 000012
【図１２】
0003755595.tif 000013